(57)【特許請求の範囲】
【請求項１】
盤面上に遊技球が転動する遊技領域が区画形成された遊技盤を具備する遊技機本体と、外透明板と内透明板とを扉枠の窓開口に対向状に保持してなり、遊技機本体に枢設されて、両透明板で遊技盤を覆う遊技扉とを備える遊技機において、
外透明板を、扉枠の窓開口全体を遮蔽する形状とするとともに、
内透明板を、外透明板に比して幅狭形状として、少なくとも遊技領域を覆うように扉枠の窓開口を部分的に遮蔽することにより、
窓開口の両側部に形成された内透明板の存しない面部により、遊技盤面が外透明板のみで覆われて、開放された遊技扉の内側から外透明板の内面に遊技案内プレートを貼着することができる、単一被覆部を構成したことを特徴とする弾球遊技機等の遊技機。
【請求項２】
盤面上に遊技球が転動する遊技領域が区画形成された遊技盤を具備する遊技機本体と、外透明板と内透明板とを扉枠の窓開口に対向状に保持してなり、遊技機本体に枢設されて、両透明板で遊技盤を覆う遊技扉とを備える遊技機において、
外透明板を、扉枠の窓開口全体を遮蔽する形状とするとともに、
内透明板を、円板状として、少なくとも遊技領域を覆うように扉枠の窓開口を部分的に遮蔽することにより、
窓開口の四隅部に形成された内透明板の存しない面部により、遊技盤面が外透明板のみで覆われて、開放された遊技扉の内側から外透明板の内面に遊技案内プレートを貼着することができる、単一被覆部を構成したことを特徴とする弾球遊技機等の遊技機。
【発明の詳細な説明】
【０００１】
【発明の属する技術分野】
本発明は、ガラス板、透過性樹脂板等からなる内外の透明板を具備する遊技扉を備えたパチンコ遊技機、パチスロットに代表される弾球遊技機や、スロット機等の遊技機に関するものである。
【０００２】
【従来の技術】
盤面上に遊技球が転動する遊技領域が区画形成された遊技盤を具備する遊技機本体と、外透明板と内透明板とを扉枠の窓開口に対向状に保持してなり、遊技機本体に枢設されて、両透明板で遊技盤を覆う遊技扉とを備える弾球遊技機等の遊技機は、パチンコ遊技機等で種々提案されている。
このように、外透明板と内透明板との二重構造により遊技領域を覆うようにしたのは、磁石などによって、遊技領域上で不正に遊技球が操作されるのを防止するものである。
【０００３】
【発明が解決しようとする課題】
ところで、扉枠の窓開口には、遊技の内容や、タイムサービスの告知など種々の情報を報知するために、遊技案内プレートを内側に設ける場合がある。この遊技案内プレートは、従来にあっては、遊技領域で転動する遊技球との接触を避けるために、外透明板と内透明板との間に差し込むようにしていた。ところが、かかる差込作業は、遊技扉を開放してから、内透明板を片手で上方へ持ち上げて保持し、外透明板側へ立て掛けるようにし、さらに内透明板を降ろして、遊技案内プレートを両透明板間に位置決めする一連の煩雑な作業を要するものであり、かつ内透明板を降ろし終わるまでは、遊技案内プレートは後方への支持がないため、作業中に脱落したり、または降下する内透明板との摺動抵抗により、位置ズレや傾きを生じ易く、これに対応してやり直し作業が頻発し、面倒であり、熟練を要するという問題があった。
【０００４】
一方、透明板は工場出荷の時点では、設置される遊技店への搬送途中での破損を防ぐために、扉枠に装備されていない状態となっており、遊技機が遊技店の島設備に設置された時点で透明板が装備される。ところで、透明板には様々な表面処理や加工が施されている場合がある。例えば、外透明板の表面部は、遊技者側に露出しているため、遊技者が透明板に触ったりすると手跡などの汚れが付着したり、またタバコのヤニや埃等も表面部に付着するため、抗菌処理が施されることもある。しかしながら、外透明板も内透明板もどちらも形状は同じのため、どちらが外側でどちらが内側なのか判別し難い。このため、内外の透明板を入れ違うことがあり、抗菌処理が施された外透明板を内側に挿入してしまうと、遊技者が触れた手跡やタバコのヤニや埃等が透明板表面部に付着し、抗菌処理された時の清掃作業に比べて時間が掛かる作業となってしまう等の問題を生ずる。このような入れ違いは、表面処理層の確認が困難であるため、そのまま放置される場合があり、他台との汚れ比較により初めて確認されることとなる。
本発明は上述の内透明板と外透明板との二重構造による各課題を解決し得る構成を提供することを目的とするものである。
【０００５】
【課題を解決するための手段】
本発明は、外透明板を、扉枠の窓開口全体を遮蔽する形状とするとともに、内透明板を、少なくとも遊技領域を覆うようにして、扉枠の窓開口を部分的に遮蔽する形状とし、窓開口の内透明板の存しない面部により、遊技盤面が外透明板のみで覆われて、開放された遊技扉の内側から外透明板の内面に遊技案内プレートを貼着することができる、単一被覆部を形成したことを特徴とする弾球遊技機等の遊技機である。
【０００６】
かかる構成にあって、不正操作の対象となる遊技領域は、内透明板の存在により二重構造となっている。また、遊技盤面上の内透明板の存しない面部は、外透明板のみにより覆われて、単一被覆部となる。この単一被覆部では、遊技扉を開放した状態で、外透明板の内面が露出することとなり、このため、この単一被覆部を利用して、遊技案内プレートを貼着することができ、内透明板を移動させる必要がない。この面領域にあっては、遊技領域で転動する遊技球との接触を避けることができ、遊技盤面側へ露出していても支障はない。また、内透明板は、窓開口を部分的に覆う形状であり、外透明板の形状とは明らかに異なったものとなる。このため、透明板の判別が容易となり、両透明板相互の入れ違いを生じない。
【０００７】
ここで、内透明板を、外透明板に比して幅狭形状として、窓開口の両側部に遊技領域が外透明板のみで覆われる単一被覆部を形成した構成とすることができる。これにより、遊技領域の両側に遊技案内プレートを貼着することができる。この単一被覆部は上下に長い矩形状となり、縦長の遊技案内プレートの貼着に最適となる。
【０００８】
また、内透明板を円板状として、窓開口の四隅部に遊技領域が外透明板のみで覆われる単一被覆部を形成した構成とすることができる。かかる構成にあっては、遊技領域の四隅部に遊技案内プレートを貼着することができる。かかる構成にあっては、内透明板を、遊技領域にほぼ相似した形状とすることができ、内透明板が目立たず、違和感がない。また窓開口の四隅に単一被覆部ｙが形成され、遊技案内プレートは異なる特異な配置形態を実現できる。
【０００９】
【発明の実施の形態】
以下、本発明をパチンコ遊技機に適用した実施形態を、添付図面に従って説明する。
このパチンコ遊技機は、図１，２に示されるように、遊技島設備に固定される長方形状の外枠１と、この外枠１の前面開口部分を覆う遊技機本体２とからなり、これらがヒンジ部材３を介して開閉可能に枢着されている。
遊技機本体２は、同図に示す様に、略正方形状の開口部４が中央上部に形成される板状の前枠５を備え、この前枠５がヒンジ部材３を介して外枠１に枢着されている。この遊技機本体２には、前枠５の開口部４に着脱可能に取付けられる遊技盤６（図２参照）と、遊技盤６の前方に位置するよう当該前枠５の開口部４にヒンジ部材（図示省略）を介して開閉可能に取付けられる遊技扉２０と、この遊技扉２０の下方側に位置するよう前枠５に対して開閉可能に取付けられる上皿部材９ａと、この上皿部材９ａの下方側に位置するよう当該前枠５に取り付けられる下皿部材９ｂと、この下皿部材９ｂの右側に突出する発射ハンドル１０を有する発射装置（図示省略）とが備えられている。この遊技扉２０は、扉枠７に透明板３２，３３ａ（３３ｂ）を装着してなる。また扉枠７と上皿部材９ａはそれぞれヒンジ部材（図示せず）を介して前枠５に軸支されており、メンテナンス時等において片開き状にそれぞれ開閉し得るようになっている。
【００１０】
ここで扉枠７は、ほぼ正方形状の額縁状に形成され、枠内を窓開口８とし、さらに下辺の内周に収納溝２９が形成され、また左右両辺の各内周にはそれぞれ案内溝３０，３０（図２参照）が形成される。そして、これらの溝に従って外透明板３２が扉枠７の上方より嵌入され、所定位置に保持される。なお、この扉枠７の上辺部には、外透明板３２の嵌入口に傾倒して開放状態又は閉塞状態とすることができ、閉塞状態で外透明板３２及び後述する内透明板３３ａの上縁と当接する可動閉塞桟３１が配設されている。
上述の遊技盤６は、内側レール１１と外側レール１２とが周設され、内側レール１１と外側レール１２の上部で、遊技球が転動する遊技領域１３を区画形成している。
【００１１】
次に本発明の要部について説明する。
上述したように、外透明板３２は、窓開口８の全体を遮蔽して、遊技盤面全体を覆うようにしている。しかるに、内透明板３３ａ（３３ｂ）にあっては、少なくとも遊技領域１３を覆うようにして、扉枠７の窓開口８を部分的に遮蔽する形状としてる。
【００１２】
図１，２は、内透明板３３ａを、外透明板３２に比して幅狭の矩形状とした実施形態を示すものである。ここでこの内透明板３３ａの幅は遊技領域１３の幅とほぼ一致させている。
【００１３】
この内透明板３３ａを遊技領域１３の前面で保持するために、図４で示すように、扉枠７の両側の上部等目立たない部位で、内側に支持溝４１が形成された断面コ字状の縦溝杆４０，４０から外方へ突成した取付板４２をビス４３で固着することにより、該縦溝杆４０，４０を垂持する。さらに、図５で示すように、扉枠７の下辺に、両側部位で内透明板３３ａの下縁を支持する支持溝４６，４６が形成された受け支持片４５を固着する。この受け支持片４５も、両側に形成したＬ形取付部４７，４７をビス４８により扉枠７の両側下辺に、夫々螺着することにより固定される。
そして、内透明板３３ａを縦溝杆４０，４０の支持溝４１，４１間に上方から挿入して、その下縁を受け支持片４５の支持溝４６，４６に落とし込み、該内透明板３３ａをその両側縁及び下縁を支持することにより外透明板３２の背部に保持し、前後で二重構造とする。
【００１４】
これにより、遊技領域１３は二重に覆われ、該遊技領域１３を落下する遊技球を磁石で入賞口へ誘導するような不正が防止される。一方、内透明板３３ａの存しない両側の面部は、外透明板３２のみで覆われて、窓開口８の両側に単一被覆部ｘ，ｘが形成されることとなる。
【００１５】
そして、この単一被覆部ｘ，ｘでは、遊技扉２０を開放した状態で、外透明板３２の内面が露出した状態となる。そこで、かかる両側の単一被覆部ｘ，ｘで、外透明板３２の内面に遊技案内プレートｐを貼着する。かかる構成にあっては、両側に上下に長い矩形状の単一被覆部ｘを生じるため、縦長の遊技案内プレートｐの貼着に最適となる。
【００１６】
これにより、その装着時に、従来のように、内透明板３３ａを昇降させる必要がなく、取付が簡単となる。また、内透明板３３ａは、外透明板３２の形状とは明らかに異なったものとなる。このため、透明板３２，３３ａの判別が容易となり、両透明板３２，３３ａ相互の入れ違いを生じない。
【００１７】
図６，７は、円板状内透明板３３ｂを適用した構成に係るものである。この内透明板３３ｂの径は遊技領域１３とほぼ等しい寸法としている。
【００１８】
図８〜１０は、この内透明板３３ｂを保持する機構を示すものであり、扉枠７の背面に固着される、内部を支持溝５３とする断面コ字状の半円形下部受枠５１と、内部を支持溝５４とする断面コ字状の半円形上部受枠５２とからなる環状支持枠５０とにより保持される。ここで、下部受枠５１は、その両側上縁と、下縁に施されたスポット溶接や、ビス止め等による固着部５５により、扉枠７に対して安定的に固着される。また、上部受枠５２は、図１０（ｂ）で示すように、下部受枠５１に対して一端縁で支軸５６により、回動可能に支持される。また、図１０（ｃ）で示すように、上部受枠５２の他端縁に固着された可撓性フック片５７を下部受枠５１の他端縁に固着した係合片５８に係合することにより連結される。而して、上部受枠５２を図９で示す開放状態として、円形の内透明板３３ｂの下半分を下部受枠５１の支持溝５３に装着して、内透明板３３ｂを下部受枠５１に保持した後、上部受枠５２を支軸５６を中心として回動し、フック片５７をその可撓性により係合片５８に外嵌することにより、該内透明板３３ｂは、扉枠７の背部に取り付けられる。
【００１９】
かかる構成にあって、外透明板３２と内透明板３３ｂにより遊技領域１３は二重に覆われ、遊技領域１３上での不正が防止される。一方、内透明板３３ｂの存しない窓開口８の四隅の面部にはは単一被覆部ｙが形成されることとなる。そして、この単一被覆部ｙにより、遊技扉２０を開放して、外透明板３２の内面に遊技案内プレートｐを接合することにより、内透明板３３ｂを脱着することなく、該遊技案内プレートｐを容易に取り付けることができる。また、かかる構成にあっては内透明板３３ｂを、遊技領域に相似した形状とすることができ、内透明板３３ｂが目立たず、違和感がない。また窓開口８の四隅に単一被覆部ｙが形成され、遊技案内プレートｐは特異な配置形態を実現できる。
【００２０】
上述のように各構成にあっては、単一被覆部ｘ、ｙが形成されることにより、遊技案内プレートｐの取り付けが容易となると共に、内透明板３３ａ，３３ｂの形状は外透明板３２と明らかに相違することとなり、その判別が容易であるため、取り付け間違いを生ずることはなく、例えば外透明板３２がその外面に表面処理が施されている場合にあっても、その処理効果を確実に奏しうる組み付け態様を達成できることとなる。
【００２１】
なお、本発明はパチンコ遊技機だけでなく、遊技盤６を覆うように配設される透明板３２，３３ａ（３３ｂ）を保持する遊技扉を備える他の遊技機にも適用できる。すなわち、本発明は、パチスロットに代表される弾球遊技機や、スロット機などの遊技機にも適用され得るものである。
【００２２】
【発明の効果】
本発明は、外透明板を、扉枠の窓開口全体を遮蔽する形状とするとともに、内透明板を、少なくとも遊技領域を覆うようにして、扉枠の窓開口を部分的に遮蔽する形状とし、窓開口の内透明板の存しない面部により、遊技盤面を外透明板のみで覆う単一被覆部を形成したから、不正操作の対象となる遊技領域は、内透明板の存在により二重構造として、その不正を防止できると共に、遊技盤面上の内透明板の存しない部位は、外透明板のみにより覆われて、単一被覆部が形成されるから、遊技扉を開放した状態で、外透明板の内面が露出することとなり、この単一被覆部で遊技案内プレートを貼着することにより、内透明板を移動させることなく、該遊技案内プレートを容易に取り付けることができる。また、内透明板は、窓開口を部分的に覆う形状であり、外透明板の形状とは明らかに異なったものとなるため、透明板の判別が容易となり、両透明板相互の入れ違いを防止することができる。
【００２３】
ここで、内透明板を、外透明板に比して幅狭形状として、窓開口の両側部に遊技領域が外透明板のみで覆われる単一被覆部を形成した構成にあっては、両側に上下に長い矩形状の単一被覆部ｘを生じるため、縦長の遊技案内プレートの貼着に最適となる。
【００２４】
また、内透明板を、円板状として、窓開口の四隅部に遊技領域が外透明板のみで覆われる単一被覆部を形成した構成とした場合には、内透明板を、ほぼ円形である遊技領域に相似した形状とすることができ、内透明板が目立たず、違和感がない。また窓開口の四隅に単一被覆部ｙが形成され、遊技案内プレートの特異な配置形態を実現できる。
【図面の簡単な説明】
【図１】第一実施形態のパチンコ遊技機の正面図である。
【図２】第一実施形態の遊技扉２０を開放した状態の斜視図である。
【図３】       第一実施形態の遊技扉２０の縦断側面図である。
【図４】       扉枠７への縦溝杆４０の取り付け態様を示す要部の斜視図である。
【図５】       扉枠７への受け支持片４５の取り付け態様を示す要部の斜視図である。
【図６】第二実施形態のパチンコ遊技機の正面図である。
【図７】第二実施形態の遊技扉２０を開放した状態の斜視図である。
【図８】       第二実施形態の遊技扉２０の縦断側面図である。
【図９】       環状支持枠５０の開放状態の斜視図である。
【図１０】       環状支持枠５０の連結機構を示し、（ａ）は正面図、（ｂ）は軸支部Ａの側面図、（ｃ）は係合部Ｂの正面図である。
【符号の説明】
２  遊技機本体
６  遊技盤
７  扉枠
１３  遊技領域
２０  遊技扉
３２  外透明板
３３ａ，３３ｂ  内透明板
４０  縦溝杆
４５  受け支持片
５０  環状支持枠
５１  下部受枠
５２  上部受枠
ｐ  案内プレート
ｘ，ｙ  単一被覆部
【図１】
0003948985.tif 000002
【図２】
0003948985.tif 000003
【図３】
0003948985.tif 000004
【図４】
0003948985.tif 000005
【図５】
0003948985.tif 000006
【図６】
0003948985.tif 000007
【図７】
0003948985.tif 000008
【図８】
0003948985.tif 000009
【図９】
0003948985.tif 000010
【図１０】
0003948985.tif 000011